(57)【要約】【課題】  音声データファイルの中身が容易に類推できるファイル名を、音声データファイルに自動的に付与する音声データ処理装置及び音声データ処理方法を提供する。【解決手段】  本発明の音声データ処理装置は、ユーザからの指令を入力する操作入力部と、音声データを入力する音声データ入力部と、前記音声データから所定の長さの音声データを抽出する音声データ抽出部と、前記音声データを分類するための分類方法及びカテゴリを予め記憶するテーブル記憶部と、ユーザが前記操作入力部を介して指定した前記分類方法を基に、前記抽出された音声データの特徴を解析し、前記音声データが属する前記カテゴリを特定する音声データ分類部と、前記音声データが分類された前記カテゴリに基づいてファイル名を自動的に生成するファイル名生成部と、前記ファイル名を前記音声データに付与するファイル名付与部と、を有する。【選択図】    図１
2005071045.tif 000002
【特許請求の範囲】
【請求項１】
ユーザからの指令を入力する操作入力部と、
音声データを入力する音声データ入力部と、
前記音声データから所定の長さの音声データを抽出する音声データ抽出部と、
前記音声データを分類するための分類方法及びカテゴリを予め記憶するテーブル記憶部と、
ユーザが前記操作入力部を介して指定した前記分類方法を基に、前記抽出された音声データの特徴を解析し、前記音声データが属する前記カテゴリを特定する音声データ分類部と、
前記音声データが分類された前記カテゴリに基づいてファイル名を自動的に生成するファイル名生成部と、
前記ファイル名を前記音声データに付与するファイル名付与部と、
を有することを特徴とする音声データ処理装置。
【請求項２】
前記抽出された音声データを音声認識しテキストデータに変換する音声認識処理部を更に有し、
前記ファイル名生成部は、前記テキストデータを前記ファイル名に含めることを特徴とする請求項１に記載の音声データ処理装置。
【請求項３】
前記分類方法が、発声者による分類、音源の種類による分類、楽器の種類による分類、場面による分類、録音品質による分類及び発声者の人数による分類のうち少なくとも１つを含むことを特徴とする請求項１に記載の音声データ処理装置。
【請求項４】
音声データを入力する音声データ入力ステップと、
前記音声データから所定の長さの音声データを抽出する音声データ抽出ステップと、
前記音声データを分類するための分類方法及びカテゴリを予め記憶するテーブル記憶ステップと、
ユーザが指定した前記分類方法を基に、前記抽出された音声データの特徴を解析し、前記音声データが属する前記カテゴリを特定する音声データ分類ステップと、
前記音声データが分類された前記カテゴリに基づいてファイル名を生成するファイル名生成ステップと、
前記ファイル名を前記音声データに付与するファイル名付与ステップと、
を有することを特徴とする音声データ処理方法。
【請求項５】
前記抽出された音声データを音声認識しテキストデータに変換する音声認識処理ステップを更に有し、
前記ファイル名生成ステップは、前記テキストデータを前記ファイル名に含めるステップを有することを特徴とする請求項４に記載の音声データ処理方法。
【請求項６】
前記分類方法が、発声者による分類、音源の種類による分類、楽器の種類による分類、場面による分類、録音品質による分類及び発声者の人数による分類のうち少なくとも１つを含むことを特徴とする、請求項４に記載の音声データ処理方法。
【発明の詳細な説明】
【技術分野】
【０００１】
本発明は、音声データ処理装置及び音声データ処理方法に関する。
【背景技術】
【０００２】
従来、ＩＣレコーダ等でデジタル録音した音声データの音声データファイルには、ファイル名もしくはタイトル名が何も設定されていないか、音声データの中身とは無関係な数字とアルファベットからなる連番が設定されていた。従ってユーザは、音声データファイルのファイル名又はタイトル名から、そのファイルの中身を類推することができなかった。音声データの中身を確認するためだけに、アプリケーションを起動し、音声データファイルを再生する必要があった。データ量が多い音声データファイルの中身を確認し、ファイル名もしくはタイトル名を設定することは、ユーザにとって煩わしいことだった。
【０００３】
特許第３１５０２４６号公報に、音声データファイルに含まれる音声データの波形を縮小した画像又は周波数測定結果に応じて割り当てたパターン画像から、アイコン画像を作成するデータ管理装置が開示されている。ユーザは、音声データファイルの中身をアイコン画像から確認できる。しかし、音声データの波形又は周波数パターンについての知識がない一般のユーザが、アイコン画像から音声データを類推することは、困難だった。
【０００４】
特開２００２−１６９７１５号公報に開示されたデータファイル名生成システムは、オペレータが選択した複数のキーワードとシリアル番号とを連結することでデータファイル名を生成し、データファイルに付与する。オペレータは、データファイル名からデータファイルの中身を類推できる。しかし、オペレータが複数のキーワードをテーブルから選択する作業は、オペレータの判断を必要とし、時間と手間がかかった。
【０００５】
特開２００２−３７４４８１号公報及び特開２０００−８９９３１号公報に、音声データを音声認識して得られたテキストデータから、ファイル名を自動的に生成するシステムが開示されている。例えば、「小泉さん」という発声者の「中東情勢に関して、内閣決定を・・・」という発言を録音した音声データファイルには、「中東情勢に関して」のような、音声データの内容そのものを反映したファイル名が付与される。しかし、「中東情勢に関して」というファイル名には、発声者に関する情報が含まれていないため、ユーザにとって返って不便だった。ユーザにとっては、音声データファイルのファイル名が、音声データに関する大まかな情報（発声者が「小泉さん」であるという情報）をも含んでいた方が、音声データの中身を類推する際に便利である。
【０００６】
【特許文献１】特許第３１５０２４６号公報
【特許文献２】特開２００２−１６９７１５号公報
【特許文献３】特開２００２−３７４４８１号公報
【特許文献４】特開２０００−８９９３１号公報
【発明の開示】
【発明が解決しようとする課題】
【０００７】
本発明は上記従来の課題を解決するもので、音声データファイルの中身が容易に類推できるファイル名を、音声データファイルに自動的に付与する音声データ処理装置及び音声データ処理方法を提供することを目的とする。
【課題を解決するための手段】
【０００８】
上記課題を解決するため、本発明は以下の構成を有する。請求項１に記載の発明は、ユーザからの指令を入力する操作入力部と、音声データを入力する音声データ入力部と、前記音声データから所定の長さの音声データを抽出する音声データ抽出部と、前記音声データを分類するための分類方法及びカテゴリを予め記憶するテーブル記憶部と、ユーザが前記操作入力部を介して指定した前記分類方法を基に、前記抽出された音声データの特徴を解析し、前記音声データが属する前記カテゴリを特定する音声データ分類部と、前記音声データが分類された前記カテゴリに基づいてファイル名を自動的に生成するファイル名生成部と、前記ファイル名を前記音声データに付与するファイル名付与部と、を有することを特徴とする音声データ処理装置である。
【０００９】
請求項２に記載の発明は、前記抽出された音声データを音声認識しテキストデータに変換する音声認識処理部を更に有し、前記ファイル名生成部は、前記テキストデータを前記ファイル名に含めることを特徴とする請求項１に記載の音声データ処理装置である。
【００１０】
請求項３に記載の発明は、前記分類方法が、発声者による分類、音源の種類による分類、楽器の種類による分類、場面による分類、録音品質による分類及び発声者の人数による分類のうち少なくとも１つを含むことを特徴とする請求項１に記載の音声データ処理装置である。
【００１１】
請求項４に記載の発明は、音声データを入力する音声データ入力ステップと、前記音声データから所定の長さの音声データを抽出する音声データ抽出ステップと、前記音声データを分類するための分類方法及びカテゴリを予め記憶するテーブル記憶ステップと、ユーザが指定した前記分類方法を基に、前記抽出された音声データの特徴を解析し、前記音声データが属する前記カテゴリを特定する音声データ分類ステップと、前記音声データが分類された前記カテゴリに基づいてファイル名を生成するファイル名生成ステップと、前記ファイル名を前記音声データに付与するファイル名付与ステップと、を有することを特徴とする音声データ処理方法である。
【００１２】
請求項５に記載の発明は、前記抽出された音声データを音声認識しテキストデータに変換する音声認識処理ステップを更に有し、前記ファイル名生成ステップは、前記テキストデータを前記ファイル名に含めるステップを有することを特徴とする請求項４に記載の音声データ処理方法である。
【００１３】
請求項６に記載の発明は、前記分類方法が、発声者による分類、音源の種類による分類、楽器の種類による分類、場面による分類、録音品質による分類及び発声者の人数による分類のうち少なくとも１つを含むことを特徴とする、請求項４に記載の音声データ処理方法である。
【発明の効果】
【００１４】
本発明によれば、音声データファイルの分類を行い、分類結果をファイル名に含めることにより、音声データファイルの中身を容易に類推できるファイル名を音声データファイルに自動的に付与する音声データ処理装置及び音声データ処理方法を実現できるという有利な効果が得られる。
【００１５】
本発明の音声データ処理装置及び音声データ処理方法は、音声データファイルの音声データを解析し、カテゴリ毎に分類し、分類した結果（例えば発声者が「小泉さん」である。）を音声データファイルのファイル名もしくはタイトル名に自動的に含める。発声者による分類であれば、例えば小泉さん、菅さん、田中さん等の表示（例えば姓、名、姓名又はニックネーム）をファイル名に含める。楽器による分類であれば、例えばピアノ、フルート、太鼓等の楽器名をファイル名に含める。場面による分類であれば、例えばディクテーション、会議、講演会等の場面名をファイル名に含める。「発声者」は、話をする人でも良く、歌を歌う人でも良い。
【発明を実施するための最良の形態】
【００１６】
以下本発明の実施をするための最良の形態を具体的に示した実施の形態について、図面とともに記載する。
【００１７】
《実施の形態》
図１〜図８を用い、本発明の実施の形態の音声データ処理装置及び音声データ処理方法を説明する。図１は、本発明の実施の形態の音声データ処理装置の構成を示すブロック図である。１００は、本発明の実施の形態の音声データ処理装置としての、パーソナルコンピュータ（以下、「ＰＣ」と略す。）である。ＰＣ１００は、制御部１０１、音声データ入力部１０２、テーブル記憶部１４０、音声データ分類用データ記憶部１６０、音声データファイル記憶部１０５、ファイル名付与部１０６、既定ファイル名生成部１０７、操作入出力部１０８、ファイル名生成方法選択部１０９及び音声データファイル名生成部１５０を有する。
【００１８】
制御部１０１は、音声データ入力部１０２、ファイル名付与部１０６、既定ファイル名生成部１０７、操作入出力部１０８、ファイル名生成方法選択部１０９及び音声データファイル名生成部の動作を制御する。
操作入出力部１０８は、ユーザからの指令を入力し、音声データ処理装置の状態を表示する。音声データを含む音声データファイルは、インターネット１９１、ＩＣレコーダ１９２、リムーバブルメディア１９３又は録音装置１９４から、音声データ入力部１０２に入力される。
【００１９】
ファイル名生成方法選択部１０９は、操作入出力部１０８を介してモニタディスプレイ（図示しない。）に音声データファイルのファイル名（以下、「ファイル名」とも言う。）の生成方法を表示し、ユーザに選択を促す。ユーザは、キーボード又はポインティングデバイスを使用し、対話形式でファイル名の生成方法を選択できる。具体的にはユーザは、既定ファイル名を使用してファイル名を生成する方法と、音声データが分類されたカテゴリに基づいてファイル名を生成する方法とを選択できる。音声データが分類されたカテゴリに基づいてファイル名を生成する方法において、ユーザは、ファイル名の一部にファイル名生成用メインキーワードを使用するか又は否かを更に選択することもできる。
【００２０】
音声データファイル名生成部１５０は、ユーザが指定したファイル名の生成方法に基づき、音声データファイルを解析し分類する。その際に、テーブル記憶部１４０が記憶している分類テーブル１４１及び音声データ分類用データ記憶部１６０が記憶している音声データ分類用データ１６１を使用する。更に分類結果に基づきファイル名を生成する。ファイル名生成部１０６は、音声データファイル名生成部１５０が生成したファイル名又は既定ファイル名生成部１０７が生成したファイル名を、音声データ入力部１０２に記憶されている音声データファイルに付与する。音声データファイル記憶部１０５は、ファイル名と音声データファイルとを相互に関連付けて記憶する。
【００２１】
図２は、分類テーブル１４１の一例を示す図である。音声データファイルは、ユーザが指定した分類方法に基づき、１つのカテゴリに分類される。実施の形態では、分類方法は、「発声者」、「音源」、「楽器」、「場面」、「録音品質」又は「発声者の人数」のいずれかによる分類である。例えば、「発声者」による分類によって音声データファイルは、「小泉さん」、「菅さん」、「田中さん」又は「鈴木さん」のいずれかのカテゴリに分類される。いずれのカテゴリにも分類できない場合、分類結果は「不定」となる。「ファイル名生成用メインキーワード」は、カテゴリの名前（カテゴリ名）に１対１に対応するキーワードである。カテゴリ名又はファイル名生成用メインキーワードは、ユーザの指定に応じて、ファイル名の先頭に使用される。
音声データ分類用データ１６１は、各カテゴリの音声データファイルが有する特徴を、カテゴリ毎に記述したデータである。
【００２２】
音声データファイルのファイル名は、カテゴリ名又はファイル名生成用メインキーワードと、ファイル名生成用サブキーワードとを連結した文字列から生成される。ファイル名生成用サブキーワードは、分類されたカテゴリ内での連番又は音声データファイルの先頭部分をテキスト化したデータである。
【００２３】
音声データファイル名生成部１５０は、音声データ抽出部１５１、音声データ分類部１５２、音声認識処理部１５３、連番設定部１５４、ファイル名生成部１５５を有する。音声データ抽出部１５１は、音声データファイルの先頭から１０秒間を抽出し、記憶する。音声データ分類部１５２は、抽出された音声データを所定の方法（後述）で解析し分類する。音声認識処理部１５３は、抽出された音声データを音声認識処理しテキストデータに変換する。連番設定部１５４は、音声データファイルが分類されたカテゴリ内での、連番を計算する。ファイル名生成部１５５は、ユーザが指定した方法で、ファイル名を生成する。
【００２４】
図３を用いて、本発明の実施の形態の音声データ処理方法を説明する。図３は、本発明の実施の形態の音声データ処理方法のフローチャートの一例である。
音声データ入力部１０２はステップ３０１で、音声データを含む音声データファイルを読み込み、記憶する。ファイル名生成方法選択部１０９は、操作入出力部１０８を介してモニタディスプレイに、ファイル名として既定ファイル名を使用するか否か、ユーザに判断を促すウィンドウを表示する（ステップ３０２）。既定ファイル名を使用する場合、既定ファイル名生成部１０７はアルファベットと数字を組み合わせた連番に基づきファイル名を生成する（ステップ３３０）。この既定ファイル名は、音声データファイルの中身とは無関係な文字列である。
【００２５】
既定ファイル名を使用しない場合、ファイル名生成方法選択部１０９は、テーブル記憶部１４０から分類テーブル１４１を読み込む。更に、操作入出力部１０８を介してモニタディスプレイに、音声データファイルの分類方法（「発声者」、「音源」、「楽器」、「場面」、「録音品質」及び「発声者の人数」）を表示する。ユーザは、分類方法を１つ選択する（ステップ３０３）。
【００２６】
音声データ抽出部１５１は、音声データ入力部１０２に保存されている音声データファイルの先頭から１０秒間を抽出する（ステップ３０４）。音声データ分類部１５２は、音声データ分類用データ１６１から、ステップ３０２で選択された分類方法に含まれるカテゴリに対応するデータを読み込み、抽出された音声データの特徴を解析し、該当するカテゴリを特定する（ステップ３０５）。ステップ３０６で該当するカテゴリがない場合（分類不能）、ステップ３３０に進む。いずれかのカテゴリに該当する場合、ステップ３０７に進む。
【００２７】
ステップ３０７でファイル名生成方法選択部１０９は、操作入出力部１０８を介してモニタディスプレイに、ファイル名の一部にファイル名生成用メインキーワードを使用するか否か、ユーザに判断を促すウィンドウを表示する。使用しない場合は、ステップ３０９に進む。使用する場合は、ステップ３０８に進む。ファイル名生成部１５５は、ステップ３０５で特定したカテゴリに対応する、ファイル名生成用メインキーワードを分類テーブル１４０に基づき、特定する。ステップ３０９に進む。
【００２８】
ステップ３０９でファイル名生成方法選択部１０９は、操作入出力部１０８を介してモニタディスプレイに、ファイル名生成用サブキーワード（「連番」及び「イントロ」）を表示する。ユーザは、ファイル名生成用サブキーワードを１つ選択する（ステップ３０３）。
【００２９】
ファイル名生成用サブキーワードが「連番」の場合、ステップ３１０に進む。連番設定部１５４は、現在までに生成したファイル名の中から、ステップ３０５で特定したカテゴリの名前又はステップ３０８で読み込んだファイル名生成用メインキーワードに連結する連番のうち最大の値を特定し、その値に１を足した値を生成する。ステップ３１１でファイル名生成部は、ステップ３０５で特定したカテゴリの名前又はステップ３０８で読み込んだファイル名生成用メインキーワードと連番とを結合し、ファイル名（例えば「小泉さん００５」又は「小鳥０１１」）を生成する。
【００３０】
ファイル名生成用サブキーワードが「イントロ」の場合、ステップ３２０に進む。音声認識処理部１５３は、ステップ３０４で抽出された音声データを音声認識処理し、所定の文字数（例えば、８文字）のテキストデータに変換する。ステップ３２１でファイル名生成部は、ステップ３０５で特定したカテゴリの名前又はステップ３０８で読み込んだファイル名生成用メインキーワードとテキストデータとを結合し、ファイル名（例えば「小泉さん：中東情勢に関して」）を生成する。
【００３１】
ステップ３１３でファイル名付与部は、ステップ３１１、ステップ３２１又はステップ３３０で生成したファイル名を、音声データ入力部に保存されている音声データファイルに付与する。ステップ３１４で制御部１０１は、ファイル名が付与された音声データファイルを音声データファイル記憶部１０５に保存し、処理を終了する。
【００３２】
次に、図４〜図８に、音声データファイルのファイル名の生成例を具体的に示す。
図４は、本発明の実施の形態の音声データ処理方法のファイル名生成過程の一例を示す説明図である。４０２は、音声データ入力部１０２に入力された音声データファイルである。音声データファイル４０２の中身は「中東情勢に関して、内閣閣議を次の通り報告する。・・・」という、「小泉さん」の声である。ユーザはファイル名生成条件４０１として、ステップ３０３で「発声者」による分類、ステップ３０７で「ファイル名生成用メインキーワードを使用する」及びステップ３０９でファイル名生成用サブキーワードとして「イントロ」を使用することを与えている。
【００３３】
音声データ分類部１５２は、「発声者」のカテゴリに含まれる「小泉さん」の音声データ分類用データ１６１−１、「菅さん」の音声データ分類用データ１６１−２、「田中さん」の音声データ分類用データ１６１−３及び「鈴木さん」の音声データ分類用データ１６１−４を参照し、音声データファイル４０２の先頭部分の特徴を解析し、どのカテゴリに含まれるか特定する。音声データファイル４０２が「小泉さん」というカテゴリに含まれることを特定すると、ファイル名生成部１５５は、対応するファル名生成用メインキーワードが「総理」であることを、分類テーブル１４１を参照して特定する。音声認識処理部１５３は、音声データファイル４０２の先頭部分を「中東情勢に関して」というテキストデータに変換する。ファイル名生成部は、ファル名生成用メインキーワードである「総理」と「中東情勢に関して」というテキストデータと「：」とを連結し（「：」はなくても良い。）、「総理：中東情勢に関して」というファイル名４０３を生成する。
【００３４】
図５は、本発明の実施の形態の音声データ処理方法のファイル名生成過程の別の一例を示す説明図である。５０１は、音声データ入力部１０２に入力された音声データファイルである。音声データファイル５０１の中身は「ピーピーピー・・・ピーピッピッピッー・・・」という、「小鳥」の声である。ユーザはファイル名生成条件５０１として、ステップ３０３で「音源」による分類、ステップ３０７で「ファイル名生成用メインキーワードを使用しない」及びステップ３０９でファイル名生成用サブキーワードとして「連番」を使用することを与えている。
【００３５】
音声データ分類部１５２は、「音源」のカテゴリに含まれる「人間（男性）」の音声データ分類用データ１６１−５、「人間（女性）」の音声データ分類用データ１６１−６、「小鳥」の音声データ分類用データ１６１−７及び「犬」の音声データ分類用データ１６１−８を参照し、音声データファイル５０２の先頭部分の特徴を解析し、「小鳥」というカテゴリに含まれることを特定する。連番設定部１５４は、「小鳥」に連結する連番のうち最大の値を特定し、その値に１を足した値（図５の例では、「００１」）を生成する。ファイル名生成部は、カテゴリ名である「小鳥」と「００１」とを連結し、「小鳥００１」というファイル名５０３を生成する。
【００３６】
図６は、本発明の実施の形態の音声データ処理方法のファイル名生成過程の別の一例を示す説明図である。６０１は、音声データ入力部１０２に入力された音声データファイルである。音声データファイル６０１の中身は「ドン  ドン  ドン・・・ドンドドン・・・」という、「太鼓」の音である。ユーザはファイル名生成条件６０１として、ステップ３０３で「楽器」による分類、ステップ３０７で「ファイル名生成用メインキーワードを使用しない」及びステップ３０９でファイル名生成用サブキーワードとして「連番」を使用することを与えている。
【００３７】
音声データ分類部１５２は、「楽器」のカテゴリに含まれる「ピアノ」の音声データ分類用データ１６１−９、「フルート」の音声データ分類用データ１６１−１０、「太鼓」の音声データ分類用データ１６１−１１及び「ギター」の音声データ分類用データ１６１−１２を参照し、音声データファイル６０２の先頭部分の特徴を解析し、「太鼓」というカテゴリに含まれることを特定する。連番設定部１５４は、「太鼓」に連結する連番のうち最大の値を特定し、その値に１を足した値（図６の例では、「００１」）を生成する。ファイル名生成部は、カテゴリ名である「太鼓」と「００１」とを連結し、「太鼓００１」というファイル名６０３を生成する。
【００３８】
図７は、本発明の実施の形態の音声データ処理方法のファイル名生成過程の別の一例を示す説明図である。７０１は、音声データ入力部１０２に入力された音声データファイルである。音声データファイル７０１の中身は「それでは、本日の会議を始めます。長島さん、この件については、ご意見をお願いします。えーと、私は・・・」という、「会議」の音である。ユーザはファイル名生成条件６０１として、ステップ３０３で「場面」による分類、ステップ３０７で「ファイル名生成用メインキーワードを使用しない」及びステップ３０９でファイル名生成用サブキーワードとして「連番」を使用することを与えている。
【００３９】
音声データ分類部１５２は、「場面」のカテゴリに含まれる「ディクテーション」の音声データ分類用データ１６１−１３、「会議」の音声データ分類用データ１６１−１４、「講演会」の音声データ分類用データ１６１−１５及び「雑談」の音声データ分類用データ１６１−１６を参照し、音声データファイル７０２の先頭部分の特徴を解析し（典型的には、先頭部分において各場面に関連付けられたキーワードを検索して、場面を特定する。）、「会議」というカテゴリに含まれることを特定する。連番設定部１５４は、「会議」に連結する連番のうち最大の値を特定し、その値に１を足した値（図７の例では、「００１」）を生成する。ファイル名生成部は、カテゴリ名である「会議」と「００１」とを連結し、「会議００１」というファイル名７０３を生成する。
【００４０】
図８は、本発明の実施の形態の音声データ処理方法のファイル名生成過程の別の一例を示す説明図である。８０１は、音声データ入力部１０２に入力された音声データファイルである。音声データファイル８０１の中身は「東京駅から大阪駅ザザザ乗車するのザ、台風の影響ザ受けて・・・」という、音である。「ザザザ」は、雑音を意味する。ユーザはファイル名生成条件８０１として、ステップ３０３で「録音品質」による分類、ステップ３０７で「ファイル名生成用メインキーワードを使用しない」及びステップ３０９でファイル名生成用サブキーワードとして「連番」を使用することを与えている。
【００４１】
音声データ分類部１５２は、「録音品質」のカテゴリに含まれる「超高音質ビットレート」の音声データ分類用データ１６１−１７、「高音質ビットレート」の音声データ分類用データ１６１−１８、「標準音質ビットレート」の音声データ分類用データ１６１−１９及び「低音質ビットレート」の音声データ分類用データ１６１−２０を参照し、音声データファイル８０２の先頭部分の特徴を解析し、「低音質ビットレート」というカテゴリに含まれることを特定する。連番設定部１５４は、「低音質ビットレート」に連結する連番のうち最大の値を特定し、その値に１を足した値（図８の例では、「００１」）を生成する。ファイル名生成部は、カテゴリ名である「低音質ビットレート」と「００１」とを連結し、「低音質ビットレート００１」というファイル名８０３を生成する。入力データがデジタル音声データであれば、音声データ分類部１５２は、そのヘッダに含まれる情報（サンプリングレート、データ圧縮率等）に基づいて、そのデジタル音声データの録音品質を判断しても良い。
【００４２】
発声者の人数により分類する場合は、音声データ分類部１５２は、音声データを発声者毎に分類して発声者の人数を解析する。例えば「３人」というカテゴリに含まれることを特定する。ファイル名生成部は、例えばカテゴリ名である「３人」と連番「００１」とを連結し、「３人００１」というファイル名を生成する。
【００４３】
実施の形態では、各分類方法で分類されるカテゴリの数を４個としたが、分類方法及び分類されるカテゴリの数は少なくとも１つあれば良い。好ましくは。分類方法及び分類されるカテゴリの数は複数である。ファイル名生成用メインキーワードは、カテゴリの名前と同一でも良い。
ファイル名を生成する際の、文字列の連結順序は実施の形態で示した順番に限らない。また、ファイル名に、ファイルサイズなど、他のキーワードを含めても良い。
実施の形態では、音声データファイルにファイル名を付与したが、カテゴリの名前又はファイル名生成用メインキーワードと連番又はイントロとを含むタイトル名を音声データファイルに付与しても良い。音声データファイルと１対１に対応し、ユーザがアプリケーションを起動せずに（音声データファイル全体を再生せずに）確認できる情報を、音声データファイルに付与すれば良い。
更に、「情報を音声データファイルに付与する」ことは、音声データファイル内に情報を直接書き込むことだけでなく、その音声データファイルと対になったファイルに情報を書き込むことを含む。例えば、ABC.dataという名前の音声データファイルのカテゴリの名前をABC_category.dataという名前のファイルに、イントロをABC_intro.dataの言う名前のファイルに書き込む構成としても良い。
【００４４】
音声データファイルは、音声データを含むファイルであれば良く、音声データの他に画像データ又はテキストデータなどを含んでいても良い。音声データ入力部１０２に入力されるデータは、音声データファイルの替わりに、リアルタイムで伝送されてくる音声データストリームであっても良い。
図３のステップ３０６において、分類テーブル１４１のカテゴリに分類できなかった音声データファイルのファイル名を、「発声者不定」又は「不定」のように、分類不能であったという情報を含むファイル名としても良い。これにより、ユーザは分類不能のファイルだけを、再生又は削除する作業を容易に行える。
音声データ抽出部１５１は、音声データファイルの先頭部以外の部分を抽出しても良い。
【００４５】
上記の方法を実行するプログラムの全てまたは一部を、例えばＩＣレコーダ、オーディオ装置、ホームビジュアルシステム装置、ネットワークを利用した音響再生装置やビデオカメラ、及び音声データファイルを取り扱うＰＣアプリケーションに読み込み実行させることにより、これらの装置やＰＣアプリケーションを音声データ処理装置として機能させることができる。
【産業上の利用可能性】
【００４６】
本発明は、音声データ処理装置及び音声データ処理方法として有用である。
【図面の簡単な説明】
【００４７】
【図１】本発明の実施の形態の音声データ処理装置の構成を示すブロック図
【図２】本発明の実施の形態の音声データ処理装置が記憶する分類テーブルの一例を示す図
【図３】本発明の実施の形態の音声データ処理方法のフローチャートの一例
【図４】本発明の実施の形態の音声データ処理方法のファイル名生成過程の一例を示す説明図
【図５】本発明の実施の形態の音声データ処理方法のファイル名生成過程の別の一例を示す説明図
【図６】本発明の実施の形態の音声データ処理方法のファイル名生成過程の別の一例を示す説明図
【図７】本発明の実施の形態の音声データ処理方法のファイル名生成過程の別の一例を示す説明図
【図８】本発明の実施の形態の音声データ処理方法のファイル名生成過程の別の一例を示す説明図
【符号の説明】
【００４８】
１００  パーソナルコンピュータ（音声データ処理装置）
１０１  制御部
１０２  音声データ入力部
１０５  音声データファイル記憶部
１０６  ファイル名付与部
１０７  既定ファイル名付与部
１０８  操作入出力部
１０９  ファイル名生成方法選択部
１４０  テーブル記憶部
１４１  分類テーブル
１５０  音声データファイル名生成部
１５１  音声データ抽出部
１５２  音声データ分類部
１５３  音声認識処理部
１５４  連番設定部
１５５  ファイル名生成部
１６０  音声データ分類用データ記憶部
１６１  音声データ分類用データ
１９１  インターネット
１９２  ＩＣレコーダ
１９３  リムーバブルメディア
１９４  録音装置
【図１】
2005071045.tif 000003
【図２】
2005071045.tif 000004
【図３】
2005071045.tif 000005
【図４】
2005071045.tif 000006
【図５】
2005071045.tif 000007
【図６】
2005071045.tif 000008
【図７】
2005071045.tif 000009
【図８】
2005071045.tif 000010